(57)【特許請求の範囲】
【請求項１】
冷媒と屋内空気との熱交換を行う室内機と，複数の被調和室に設けられると共にダクトにより前記室内機と連結されて，当該室内機で空気調和された空気を被調和室に吹出す吹出チャンバーとを有してなる空気調和システムにおいて，
床に固着されると共に前記吹出チャンバーが挿通する枠体と，
該枠体の内側面に固着されると共に，床下から室内方向の力が働いたときにのみ当該方向に傾動し，該方向の力がなくなると自重により元の位置に戻る傾動支持部材と，
前記吹出チャンバーの外側面に設けられると共に，前記枠体内を床下から室内側に当該吹出チャンバーを引上げた際に，前記傾動支持部材を跳ね上げ，かつ，当該傾動支持部材が自重により元の状態に戻った後は該傾動支持部材に当接して支持されることにより前記吹出チャンバーを所定位置に固定する突起部材とを備えた吹出チャンバー固定装置を有することを特徴とする空気調和システム。
【請求項２】
前記傾動支持部材が，略直角三角体から形成され，一方の短辺面が前記枠体に当接した際には，他方の短辺面が水平面になり，かつ，当該２つの短辺面のコーナー部分に回動軸が設けられてなることを特徴とする請求項１記載の空気調和システム。
【発明の詳細な説明】
【０００１】
【発明の属する技術分野】
本発明は，床に吹出チャンバーを据付ける際の作業を容易にした空気調和システムに関する。
【０００２】
【従来の技術】
従来，複数の部屋を冷暖房するには，各部屋に対応して空気調和機を設けることが一般的であるが，これでは必要とする空気調和機の台数が多くなり不経済である。
【０００３】
そこで，各部屋に室内機を設けて，当該室内機に１台の室外機から冷媒を供給することにより，空気調和を行うマルチ式空気調和機が市場に提供され始めている。
【０００４】
しかし，このマルチ方式の空気調和機でも，室内機は被調和室と同じ台数が必要となると共に，被調和室の数が多い場合には冷媒配管の総配管距離が長くなるため冷媒循環を行うのに能力の大きい室外機を使用する必要があり，また複雑な冷媒配管経路となって，施工性及びメンテナンス性に欠ける問題がある。
【０００５】
このような観点から，本願出願人は特願平９−６１８において図５に示すような構成の空気調和機を提案した。
【０００６】
当該空気調和機は，冷媒を圧縮する図示しない圧縮機等を備えて室外に配設される室外機２０ａ，２０ｂ，天井裏や階段下等に配設されて冷媒と室内空気とを熱交換する室内機１０ａ，１０ｂ，各被調和室に設けられて調和された空気を当該被調和室に吹出す吹出チャンバー６０ａ，６０ｂ，該室内機１０ａ，１０ｂで調和された空気を吹出チャンバー６０ａ，６０ｂに導くダクト１００ａ，１００ｂ等を有している。
【０００７】
なお，吹出チャンバー６０ａは床に，吹出チャンバー６０ｂは天井にそれぞれ据付けられている。
【０００８】
【発明が解決しようとする課題】
しかしながら，ダクト１００ａは床下に配設されるため，吹出チャンバー６０ａを床に固定する際には，床下で所定の作業を行う必要があり作業性に欠ける問題があった。
【０００９】
即ち，床下に配設されたダクト１００ａを吹出チャンバー６０ａに連結するには床下に潜らなければならないが，吹出チャンバー６０ａの取付けは床張りされた後に行われるので，床下に潜ることが困難であると共に潜った後の作業が非常に困難となる。
【００１０】
そこで，本発明は吹出チャンバーとダクトの連結及び当該吹出チャンバーの据付けを床下に潜らなくても容易にできるようにした空気調和システムを提供することを目的とする。
【００１１】
【課題を解決するための手段】
上記課題を解決するために，請求項１にかかる発明は，冷媒と屋内空気との熱交換を行う室内機と，複数の被調和室に設けられると共にダクトにより室内機と連結されて，当該室内機で空気調和された空気を被調和室に吹出す吹出チャンバーとを有してなる空気調和システムにおいて，床に固着されると共に吹出チャンバーが挿通する枠体と，該枠体の内側に固着されると共に，床下から室内方向の力が働いたときにのみ当該方向に傾動し，該方向の力がなくなると自重により元の位置に戻る傾動支持部材と，吹出チャンバーの外側に設けられると共に，当該吹出チャンバーが枠体内を床下から室内側に引上げた際に，傾動支持部材を跳ね上げ，かつ，当該傾動支持部材が自重により元の状態に戻った後は該傾動支持部材に当接して支持されることにより吹出チャンバーを所定位置に固定する突起部材とを備えた吹出チャンバー固定装置を有して，吹出チャンバーとダクトの連結及び当該吹出チャンバーの据付けを床下に潜らなくても容易にできるようにしたことを特徴とする。
【００１２】
請求項２にかかる発明は，傾動支持部材が，略直角三角体から形成され，一方の短辺面が枠体に当接した際には，他方の短辺面が水平面になり，かつ，当該２つの短辺面のコーナー部分に回動軸が設けられて，簡単かつ安価な構成で吹出チャンバーとダクトの連結及び当該吹出チャンバーの据付けを床下に潜らなくてもできるようにしたことを特徴とする。
【００１３】
【発明の実施の形態】
本発明の実施の形態を図を参照して説明する。なお，従来と同一構成に関しては同一符号を用いて説明を適宜省略する。
【００１４】
図１は本発明にかかる空気調和システムを家屋に設置した時の概念図で，１階用の空気調和機と２階用の空気調和機とからなり，これらの構成は後述する吸込チャンバーの構成が相違している以外は同じである。
【００１５】
各空気調和機は，冷媒を圧縮する図示しない圧縮機等を備えた室外機２０ａ，２０ｂ，室内空気と冷媒とを熱交換させる室内機１０ａ，１０ｂ，居室等の被調和室に設けられて調和された空気を当該被調和室に吹出す際の吹出口をなす吹出チャンバー６０ａ，６０ｂ，室内機１０ａ，１０ｂからの調和された空気を各被調和室に分配する分岐チャンバー５０ａ，５０ｂ，室内機１０ａ，１０ｂ，分岐チャンバー５０ａ，５０ｂ及び吹出チャンバー６０ａ，６０ｂ等を連結して空気の流路を形成するダクト１００ａ，１００ｂ，屋内の換気を行うと共に当該換気用空気の熱を回収する図示しない熱回収器を備えた換気ユニット３０等により構成されている。
【００１６】
１階用の空気調和機における室内機１０ａ，１０ｂは，階段下のような閉空間内に配設されて，当該閉空間４０ａが吸込チャンバーとして作用している。
【００１７】
これにより，吸込チャンバーを別途設ける必要が無くなるので，製造コストを安価にすることが可能になる。
【００１８】
なお，本実施の形態においては，階段下の閉空間４０ａ及び吸込チャンバー４０ｂに外気と室内空気とが冷房時及び暖房時を問わず一定比で流入する構成となっているが，当該比率を変える場合には，これらにダンパー装置等を設ければよい。
【００１９】
当該排気ダクト７０の排気トップ７１及び外気取入口８０には，図示しない防虫ネット等が被せてあり，室内に虫等が侵入しないようになっている。
【００２０】
図２は床に固着されると共に吹出チャンバー６０ａが挿通して固定される枠体６１の上面図であり，図３は吹出チャンバー６０ａを当該枠体６１に固定した際の側断面図である。
【００２１】
枠体６１には，床側上端近傍の内側四隅に傾動支持部材６２が設けられている。当該傾動支持部材６２は，略直角三角柱体をなして，２つの短辺面がなすコーナ近傍に回動軸６３が設けられている。
【００２２】
そして，当該回動軸６３は，一方の短辺面（以下，当該辺を載置面６４と記載する）が水平面をなすと共に他方の短辺面が枠体６１の内側面に当接する（以下，当該辺を当接面６５と記載する）ように当該枠体６１に固着されている。
【００２３】
これにより傾動支持部材６２の長辺面に上向きの力が働くと，当該傾動支持部材６２は回動して傾動する。しかし，載置面６４に下向きの力が働いても，当接面６５が枠体６１の内側面に当接しているので傾動支持部材６２は回動しない。
【００２４】
一方，吹出チャンバー６０ａは，発砲スチロール等の断熱部材から形成された箱状部材で，該吹出チャンバー６０ａの上端部近傍の外側四隅には，突起部材６６が設けられている。
【００２５】
また，吹出チャンバー６０ａの一方の側面にはダクト接続部６７が設けられ，該吹出チャンバー６０ａの上部には，空気調和された空気を室内に吹出口６８が形成されている。
【００２６】
上記構成の吹出チャンバー６０ａの据付けは以下のようにして行われる。床張り前にダクト１００ａを配設すると共に，当該ダクト１００ａを吹出チャンバー６０ａのダクト連結部６７に挿着して，当該吹出チャンバー６０ａを据付け位置近傍に置く。
【００２７】
その後，床張りされると共に枠体６１が所定位置に固定されて，吹出チャンバー６０ａを当該枠体６１に取付ける。
【００２８】
吹出チャンバー６０ａの取付け手順を図４を参照して説明する。枠体６１の床下近くにはダクト１００ａが連結された吹出チャンバー６０ａが置かれている。
【００２９】
そこで，図４（ａ）に示すように，吹出チャンバー６０ａを把持して枠体６１内側を通り床下から室内方向に引上げる。
【００３０】
これにより図４（ｂ）に示すように，突起部材６６が傾動支持部材６２の長辺面に当接して，当該傾動支持部材６２を跳ね上げて傾動させる。
【００３１】
さらに，突起部材６６が傾動支持部材６２より高くなるまで吹出チャンバー６０ａを引上げると，当該傾動支持部材６２は自重で元の位置に戻り当接面６５が枠体６１の内側面に当接して図４（ｃ）に示す状態となる。
【００３２】
このような状態にした後，突起部材６６が載置面６４に当接するように吹出チャンバー６０ａを降ろし，載置面６４と突起部材６６とをネジ止めして固定する。これにより吹出チャンバー６０ａの据付けが完了する（図３参照）。
【００３３】
従って，作業者が床下に潜ることなく，ダクト１００ａが連結された吹出チャンバー６０ａを容易に床に固定することが可能になる。
【００３４】
なお，上記説明では枠体６１を床に固着する場合について説明したが，本発明はこれに限定されるものではなく，床と枠体６１との間に木枠を介して取付けるようにしてもよい。
【００３５】
【発明の効果】
以上説明したように，請求項１にかかる発明によれば，枠体の内側に床下から室内方向の力が働いたときにのみ当該方向に傾動し，該方向の力がなくなると自重により元の位置に戻る傾動支持部材を固着し，また吹出チャンバーの外側に傾動支持部材を跳ね上げ，載置される突起部材を固着したので，吹出チャンバーとダクトの連結及び当該吹出チャンバーの据付けを床下に潜らなくても容易にできるようになる。
【００３６】
請求項２にかかる発明によれば，傾動支持部材を略直角三角体から形成して，一方の短辺面が枠体に当接した際には，他方の短辺面が水平面になるように傾動可能に枠体に取付けたので，簡単かつ安価な構成で吹出チャンバーとダクトの連結及び当該吹出チャンバーの据付けを床下に潜らなくてもできるようになる。
【図面の簡単な説明】
【図１】本発明の実施の形態の説明に適用される空気調和システムの構成を示す図である。
【図２】枠体の上面図である
【図３】吹出チャンバーを床に据付けたときの断面図である。
【図４】吹出チャンバーを枠体に取付ける際の手順を示す部分断面図である。
【図５】従来の技術の説明に適用される空気調和システムの構成図である。
【符号の説明】
１０ａ，１０ｂ  室内機
２０ａ，２０ｂ  室外機
５０ａ，５０ｂ  分岐チャンバー
６０ａ，６０ｂ  吹出チャンバー
６１  枠体
６２  傾動支持部材
６３  回動軸
６４  載置面
６５  当接面
６６  突起部材
１００ａ，１００ｂ  ダクト
【図１】
0003695937.tif 000002
【図２】
0003695937.tif 000003
【図３】
0003695937.tif 000004
【図４】
0003695937.tif 000005
【図５】
0003695937.tif 000006